(57)【特許請求の範囲】
【請求項１】
膣内に挿入される吸収体を有する体液吸収製品が、包装シートで形成された袋の内部に個別に包装された個包装体において、
前記袋は、前記包装シートの一部で開封片が形成され、前記袋が未開封のときに前記開封片の内面が前記体液吸収製品に対面し、前記開封片が前記袋から分離されると、前記開封片はその内面が前記袋の外に向く状態に開放可能とされており、
前記開封片の前記内面に、前記体液吸収製品の使用方法と使用上の注意の少なくとも一方を意味する表示が記されていることを特徴とする個包装体。
【請求項２】
前記開封片の外面には、袋を開封するときの注意を意味する表示が記されている請求項１記載の個包装体。
【請求項３】
前記体液吸収製品は、前記吸収体とこの吸収体の後端部から延びる紐とを有しており、前記紐が納められている前記袋の後方部分に、前記開封片が設けられている請求項１または２記載の個包装体。
【発明の詳細な説明】
【０００１】
【発明の属する技術分野】
本発明は、膣内に挿入される吸収体を有する体液吸収製品が、袋で個別に包装された個包装体に係り、特に個々の体液吸収製品を使用するときに、その使用方法や使用上の注意を使用者が常に確認しやすくした体液吸収製品の個包装体に関する。
【０００２】
【従来の技術】
体液吸収製品として、膣内に挿入される吸収体と前記吸収体の後端部から延びる紐とを有するいわゆるタンポンが存在している。
【０００３】
従来市販されている前記体液吸収製品としては、アプリケータ内に吸収体が収納されているもので前記アプリケータを用いて吸収体を体内に挿入するもの、またはアプリケータを用いずに指で吸収体を体内に挿入するものがある。前記アプリケータを用いたものは、吸収体とアプリケータとが組み合わされた状態で、個別に袋で包装されて個包装体とされ、前記アプリケータを用いないものは前記吸収体が個別に袋で包装されて個包装体とされている。
【０００４】
そして、複数の前記個包装体が箱に収納されたものが製品パッケージとして店頭に並べられている。また、通常は、タンポンの使用方法や使用上の注意が記載された使用説明書が折り畳まれた状態で、前記箱の中に前記個包装体と共に収められている。
【０００５】
【発明が解決しようとする課題】
前記体液吸収製品を使用する使用者のうち初めて使用する者や使用経験の浅い者は、前記使用説明書を読んでから使用することが多いが、通常の使用者は前記使用説明書を読まないことが多い。
【０００６】
しかし、膣内に吸収体を挿入して使用する前記体液吸収製品は、使用時の注意を読んでから使用することが重要であり、通常は前記使用説明書に使用上の安全性を確保するための注意書きが記載されている。
【０００７】
前記注意書きには、例えば吸収体に取り付けられている紐が存在していること、および前記紐を引っ張っても吸収体から外れないことを確認することなどが記載されている。また吸収体がアプリケータに収納されているものでは、例えばアプリケータの先端部分に潰れや割れが生じていないかを確認することなどが記載されている。
【０００８】
例えば、紐を確認せずに吸収体を膣内に挿入した場合において、使用済の吸収体を体外に取り出すときに紐がすぐに見つからないことがあると、実際には体外に紐が出ているにもかかわらず、吸収体に紐が取り付けられていない不良品ではないかとの不安や、使用中に吸収体から紐が外れてしまったのではないかとの不安を使用者が感じて慌てることがありえる。また万が一、アプリケータの先端部分に潰れや割れなどがある場合には、使用しないことが好ましい。
【０００９】
しかし、前記のように箱の中に使用説明書が入っているものでは、使用説明書を開いて読むことを煩雑に感じて読まないで使用したり、または読むのを忘れることが起こりやすい。また、前記箱には体液吸収製品が複数個収納されているため、個々の体液吸収性製品を使用する度に前記使用説明書を箱から取り出して読むのは不便であり、また箱を開封した後にいくつかの体液吸収製品を使用した時点で、前記使用説明書を紛失するおそれもある。
【００１０】
本発明は上記従来の課題を解決するものであり、個々の体液吸収製品を使用する際に、使用方法や使用上の注意書きなどが目に留まりやすいようにして、使用方法や使用上の注意を常に確認できるようにした体液吸収製品の個包装体を提供することを目的としている。
【００１１】
【課題を解決するための手段】
本発明は、膣内に挿入される吸収体を有する体液吸収製品が、包装シートで形成された袋の内部に個別に包装された個包装体において、
前記袋は、前記包装シートの一部で開封片が形成され、前記袋が未開封のときに前記開封片の内面が前記体液吸収製品に対面し、前記開封片が前記袋から分離されると、前記開封片はその内面が前記袋の外に向く状態に開放可能とされており、
前記開封片の前記内面に、前記体液吸収製品の使用方法と使用上の注意の少なくとも一方を意味する表示が記されていることを特徴とするものである。
【００１２】
上記本発明では、体液吸収製品の個包装体を使用する度に、使用方法や使用上の注意が使用者の目に留まるため、使用方法を誤ったり、使用前の点検を怠ることなどが生じにくくなる。なお、本発明の個包装体は、吸収体を収納したアプリケータが袋で個別に包装されている場合と、アプリケータを用いない吸収体が袋に個別に包装されている場合の双方がありえる。
【００１５】
また、前記体液吸収製品は、前記吸収体とこの吸収体の後端部から延びる紐とを有しているものである。
【００１８】
開封片を有するものでは、前記開封片を必ず指で掴んで開封することになるため、指で掴んだ開封片に表示が記されていると、この表示が目に留まりやすくなる。また好ましくは前記開封片の外面と内面の双方に表示が記されていると、表示を確認しやすくなる。
【００１９】
この場合に、例えば、前記開封片の外面には、袋を開封するときの注意を意味する表示が記されており、前記開封片の内面には、使用方法と使用上の注意の少なくとも一方を意味する表示が記されているものとすることができる。
【００２３】
【発明の実施の形態】
図１は参考例として体液吸収製品の個包装体を示す斜視図、図２（Ａ）（Ｂ）は前記個包装体の袋の外面に印刷された表示の一例を示す説明図、図３は使用方法である開封方法を示す斜視図である。
【００２４】
図１ないし図３に示す個包装体１は、体液吸収製品１０が１個ずつ個別に袋２０で包装されているものである。
【００２５】
この体液吸収製品１０は、吸収体１１と吸収体１１の後端部から延びる紐１２とを有するいわゆるタンポンが、アプリケータ１３内に収納されているものである。
【００２６】
前記吸収体１１は、コットンやレーヨンなどの親水性繊維を圧縮して、表面を不織布などの透液性シートで包んだものである。生理中の女性の膣内に吸収体１１が挿入されると、吸収体１１が経血を吸収して膣内で膨張する。前記吸収体１１を膣内に挿入しているときには前記紐１２を膣口から体外へ出しておき、この紐１２を引くことにより使用後の吸収体１１を膣内から取り出すことができる。
【００２７】
前記アプリケータ１３は合成樹脂材料で形成されているものであり、前記吸収体１１を収納している外筒１４と、前記吸収体１１の後端部に対向して前記外筒１４に対して摺動自在に挿入された内筒１６とを有している。外筒１４の先端部には複数の開放爪１５が互いに分割されて一体に形成されている。また、前記吸収体１１の後端部から延びる前記紐１２は、前記内筒１６内に挿通されて内筒１６の後端部から後方へ突出している。
【００２８】
この体液吸収製品１０を使用するときには、前記アプリケータ１０の外筒１４を膣内に挿入し、内筒１６を外筒１４の内部に押し込む。このとき内筒１６によって外筒１４内の吸収体１１が押し出され、外筒１４の先端部分の前記開放爪１５が開くように変形させられて、吸収体１１が膣内に挿入される。
【００２９】
前記袋２０は、包装シート２１で形成されている。前記包装シート２１は、ポリエチレンフィルムである。ただしポリエチレンフィルムの代わりに、ポリプロピレンフィルム、紙材、ポリエチレンフィルムと紙材とのラミネート材などを使用することも可能である。
【００３０】
前記袋２０はいわゆるピロー包装形態となっている。すなわち、帯状に連続した前記ポリエチレンフィルムが縦シール部２２によってシールされて筒体が形成され、この筒体の内部に前記体液吸収製品１０が挿入されて、前記体液吸収製品１０の前後で筒体に横シール部２３，２３が形成され、さらに前記筒体が個別に切断されて個包装体１とされたものである。
【００３１】
前記個包装体１の一方の端部には、袋２０を開封する際のきっかけとなるＶ字状の切り込み２４が設けられている。前記包装シート２１には、前記切り込み２４を始点として縦方向（Ｙ方向）に延びるミシン目が形成されており、あるいは前記包装シート２１である樹脂フィルムが縦方向（Ｙ方向）に延伸処理されて、縦方向へ切断が進行しやすいようになっている。したがって、図３に示すように、袋２０を前記切り込み２４を挟んで左右に引くと、前記切り込み２４を始点として包装シート２１に切断線が進行して、袋２０を左右に分離するように切断できる。
【００３２】
前記袋２０を形成している包装シート２１の外面には表示が設けられている。この表示は、前記包装シート２１の外面に印刷されている。
【００３３】
図２（Ａ）は袋２０を正面から見たときの外面を示し、図２（Ｂ）は袋２０を図２（Ａ）と逆側から見たときの外面を示している。
【００３４】
図２（Ａ）に示す一方の外面には、第１の表示２６と第２の表示２７が記されている。また図２（Ｂ）に示す他方の外面には、第３の表示２８と第４の表示２９が記されている。前記第１の表示２６と第２の表示２７は交互に一定の周期で繰り返し、この繰り返しが縦方向（Ｙ方向）に連続するものとなっており、同様に第３の表示２８と第４の表示２９も交互に一定の周期で繰り返し、この繰り返しが縦方向に連続するものとなっている。
【００３５】
前記第１の表示２６はイラスト表示であり、使用方法のひとつである袋２０の開封方法が記されている。第２の表示２７もイラスト表示であり、使用上の注意を喚起する図柄となっている。前記第２の表示２７は、使用前に紐１２を引っ張って確認すべきことを喚起する内容となっている。第３の表示２８は使用方法のひとつである袋２０の開封方向を矢印と文字で表している。また第４の表示２９は、使用上の注意を文字で示しており、この一例として使用前に紐１２を確認すべきことを喚起している。
【００３６】
その他、体液吸収製品の使用方法を意味する表示として外筒１４を膣内に挿入して内筒１６で吸収体１１を押し出すことをイラストまたは文字で説明する表示が記されていてもよいし、あるいは、使用上の注意を意味する表示として、外筒１４の先端部分の開放爪１５に異常がないかを確認すべきことをイラストや文字で表わしてもよい。また、これら表示を前記第１ないし第４の表示２６〜２９と共に包装シート２１に印刷してもよい。
【００３７】
前記各表示は、包装シート２１に縦方向に繰り返す繰り返し模様として印刷されている。この表示の繰り返し周期は、１個の個包装体１の縦方向の長さ寸法よりも短くしておくことが必要である。このように表示を印刷しておけば、帯状の包装シート２１を供給して、それぞれの個包装体１を順次製造していく過程において、個々の個包装体１に対する各表示２６〜２９の位置合わせを制御しないで包装シート２１を送って包装を行っても、１個の個包装体１に少なくとも１組の表示を必ず位置させることができる。
【００３８】
図１に示す個包装体１が複数個、紙製の箱内に納められる。このとき箱内に体液吸収製品１０の使用方法や使用上の注意などが記載された使用説明書を一緒に納めてもよいが、個々の個包装体１に、使用方法や使用上の注意が記された表示が示されているため、箱内に前記使用説明書が必ずしも納められていなくてもよい。
【００３９】
使用時に、個包装体１が箱から取り出されると、袋２０の外面に前記表示２６〜２９が記されているため、その表示が目に留りやすい。そのため、袋２０の開封方法を誤ったり、使用前のチェックを怠ったり、あるいは使用方法を誤ることなどが生じにくくなる。
【００４０】
また、この袋２０では、第１の表示２６によって、切り込み２４を上に向けて包装シート２１を破ることが説明されているため、通常は、前記切り込み２４が上に向けられた状態で開封されるようになる。また、図２（Ａ）（Ｂ）に示す各表示２６ないし２９の文字やイラストが、前記切り込み２４側に向けて記されているため、これによっても、使用者は切り込み２４を上に向けた状態で袋２０を開封しようとする。
【００４１】
しかも、前記切り込み２４が、体液吸収製品１０の後端部すなわちアプリケータ１３の内筒１６が納められている側の端部に位置しているため、開封の際に袋２０を破り始めると、最初に内筒１６の後端部および紐１２が上向きとなって現れる。このとき第２の表示２７にしたがって紐１２の確認を行うと、アプリケータ１３の外筒１４は未だ袋２０内に位置しているため、袋２０の外から外筒１４を掴んで紐１２をチェックできるようになり、外筒１４の清潔を保つことができる。
【００４２】
図４は他の参考例として体液吸収製品の個包装体を示す斜視図、図５は前記個包装体の袋の表示を示す拡大正面図である。
【００４３】
図４と図５に示す個包装体３１は、袋４０内に、図１に示したのと同じくアプリケータ１３に吸収体１１および紐１２を収納した体液吸収製品１０が封入されているものである。
【００４４】
前記袋４０は、ポリエチレンフィルムなどの包装シート２１で形成されている。この袋４０は、前記包装シート２１が縦シール部４１でシールされて筒状に形成されているとともに、前記体液吸収製品１０が封入された状態で、両端部が横シール部４２，４２でシールされている。
【００４５】
前記袋４０の中央部分には、前記袋４０を縦方向へ二分するための切断部４３が設けられている。この切断部４３は、前記包装シート２１に袋４０の周方向に連続するミシン目を形成したものである。または前記切断部４３は、前記包装シート２１として、縦方向（Ｙ方向）と直交する横方向に延伸処理した樹脂フィルムを使用し、さらに包装シート２１に横方向への切断線を形成するきっかけとなる切り込みなどが設けられたものであってもよい。
【００４６】
前記袋４０が前記切断部４３の部分で切断されることによって、前記袋４０が先方部分４０Ａと後方部分４０Ｂとに分離可能である。そして、前記体液吸収製品１０の吸収体１１およびこれが収納された外筒１４が前記先方部分４０Ａの内部に位置し、紐１２およびこの紐１２が挿通されている内筒１６が前記後方部分４０Ｂの内部に位置している。
【００４７】
そして、前記袋４０の先方部分４０Ａの表面に表示４５および表示４６が印刷されている。
【００４８】
図５に拡大して示すように、表示４５には、使用方法としてこの個包装体３１を開封する方法が示されている。表示４５はイラストと文字による表示であり、袋４０を前記切断部４３の部分で切断して前記前方部分４０Ａと後方部分４０Ｂとを分離すべきことを表している。前記表示４６もイラストと文字による表示であるが、ここには、使用上の注意として袋４０を開封した後に、紐１２をチェックすべきであることを喚起する内容が記されている。
【００４９】
この個包装体３１を取り扱う際に、図５に示すように、表示４５と表示４６の表示を自然に理解できるように表示内の文字を上向きにすると、必然的に先方部分４０Ａが左手、後方部分４０Ｂが右手で保持される向きとなる。この状態で、前記切断部４３により袋４０を二つに分断すれば、左手で先方部分４０Ａを介してその内部の外筒１４を掴むことができる。そして、表示４６により説明されているように、先方部分４０Ａの内部の外筒１４を左手で保持した状態で紐１２を引っ張って紐のチェックを行うことができる。
【００５０】
前記チェックを行う際に、袋４０の先方部分４０Ａによって外筒１４を掴むことが必然的に行われるため、外筒１４の清潔を保つことができる。また前記外筒１４は通常、５０〜７０ｍｍ程度の長さを有しているため、袋４０を開封したときに先方部分４０Ａの包装シート２１を介して前記外筒１４を掴めるようにするためには、前記先方部分４０Ａの長さ寸法Ｌ１が４０〜８０ｍｍ程度であることが好ましい。
【００５１】
なお、この参考例では、前記のように吸収体１１および外筒１４が納められている先方部分４０Ａにのみ表示４５，４６が記されているが、これに加えて後方部分４０Ｂの外面に同種の説明内容を表した表示、または他の説明内容を表した表示が記されていてもよい。
【００５２】
図６は本発明の実施の形態の個包装体を示す斜視図、図７（Ａ）はその正面図、図７（Ｂ）は個包装体の開封方法を示す正面図である。
【００５３】
この個包装体５１は、袋６０の内部に体液吸収製品１０が封入されている。この体液吸収製品１０は、外筒１４と内筒１６を有するアプリケータ１３の内部に吸収体１１および紐１２が収納されているものである。前記袋６０はポリエチレンフィルムなどの包装シート２１で形成されており、縦シール部６１および前後の横シール部６２，６２により封止されている。
【００５４】
前記袋６０では、アプリケータ１３の内筒１６および紐１２が納められている後方部分において、前記包装シート２１にミシン目などの切断部６３が形成されている。この切断部６３は、横シール部６２を起点として四角形の領域を囲むように形成されており、前記切断部６３で囲まれた部分が開封片６０Ａとなっている。そして、前記切断部６３を横断する部分に引き剥がし用のシール６４が貼着されている。このシール６４は、開封片６０Ａ側には強固に接着されており、切断部６３を越えた部分では包装シート２１の外面に弱い粘着力で接着されている。
【００５５】
図７（Ｂ）に示すように、前記シール６４を剥がして、前記切断部６３の部分で包装シート２１を切断することにより、開封片６０Ａを開放させることができる。このとき袋６０に形成される開口部６５内に、体液吸収製品１０のアプリケータ１３の内筒１６および紐１２が現れる。
【００５６】
図７（Ａ）に示すように、前記シール６４の表面にはこの部分が開け口であることの表示７１が文字により印刷されている。また、前記開封片６０Ａの外面には、使用上の注意を喚起する表示７２が印刷されている。この表示７２は、デザイン化された枠表示７２ａと、その内部に記された文字表示７２ｂとから成る。この表示７２には、個包装体５１を開封する際の注意書きとして「手指を清潔にしてから開封しましょう」と記載されている。
【００５７】
そして、図７（Ｂ）に示すように、開封片６０Ａを剥がすと、その裏面（内面）に印刷された表示７３と表示７４とが現れる。一方の表示７３は文字表示で「使用前にヒモをチェック」と記載されており、他方の表示７４は、ヒモのチェックをすべきことをイラストで表している。また前記開封片６０Ａの内面に他の注意を示す表示がイラストや文字で印刷されていてもよい。
【００５８】
この実施の形態においても、図７（Ａ）に示す外面の表示７２の文字表示７２ｂを上向きにして手で保持すると、必然的に左手で、袋６０内の外筒１４が納められている部分を保持することができる。そのまま、開封片６０Ａを開封すると、図７（Ｂ）に示すように、右側に向けられた開口部６５内に内筒１６および紐１２が現れる。この時点で、前記表示７３および７４に目が留まって、紐のチェックをすべきことを認識することができる。また左手で袋６０を介して外筒１４を保持して右手で紐１２を引っ張ってチェックすることができるため、外筒１４の清潔を保つことができる。
【００５９】
このように袋６０を介して外筒１４が保持されるためには、袋６０の前記開封片６０Ａが設けられている部分を除く先部側の長さ寸法Ｌ２が４０〜８０ｍｍの範囲であることが好ましい。
【００６０】
なお、この実施の形態では、包装シート２１に前記切断部６３が形成され、この切断部６３で囲まれた部分において包装シート２１の一部が開封片６０Ａとなっているが、開封片は必ずしも包装シート２１の一部で形成されるものに限られない。例えば、前記包装シート２１に予め開口部が設けられ、且つ前記包装シート２１とは別体の開封片が設けられ、この開封片が粘着剤を介して前記包装シート２１の開口部の周辺部分に剥離可能に粘着されているものであってもよい。
【００６１】
また、この実施の形態では、開封片６０Ａの外面と内面の双方に使用上の注意を喚起する表示７２，７３，７４が記されているが、本発明はこれに限定されるものではなく、内面のみに前記表示が記されているものであってもよい。
【００６２】
図８は本発明の他の実施の形態の個包装体を示す斜視図、図９は前記個包装体を開封した状態を示す斜視図である。
【００６３】
この実施の形態の個包装体７６は、包装シート２１で形成された袋８０の内部に体液吸収製品１０が封入されている。図９に示すように体液吸収製品１０は、外筒１４と内筒１６を有するアプリケータ１３の内部に吸収体１１および紐１２が収納されているものである。
【００６４】
この個包装体７６の袋８０は、縦シール部（図示せず）および横シール部８１，８１を有するものである。前記袋８０の前記横シール部８１と横シール部８１との間には、包装シート２１に長円形状または楕円形状にミシン目などが形成された切断部８２が形成されて、この切断部８２で囲まれた部分が開封片８０Ａとなっている。前記切断部８２で包装シート２１を切断することにより、前記開封片８０Ａを、図９に示すように開封することができ、さらに図９の状態から残りの切断部８２で切断して前記長円形状または楕円形状の開封片８０Ａを完全に取り外すこともできる。
【００６５】
図８に示すように、前記開封片８０Ａの外面には、表示９１が印刷されている。この表示９１は、袋８０を開封する前の注意書きであり「手を清潔にしてから開封しましょう」と記載されている。また他の注意書きや切断部８２から開封すべきことを説明した説明書きの表示を記してもよい。
【００６６】
また、図９に示すように、前記開封片８０Ａの裏面（内面）には表示９２および９３が印刷により記されている。この表示９２および９３は、使用上の注意が記載されたものであり、デザイン化された枠表示内に「セーフティチェックを行ってから装着しましょう」、「使用前にヒモをチェックしましょう」などの記載がなされている。またこれら使用上の注意を記すイラストが印刷されていてもよい。
【００６７】
なお、前記他の実施の形態においても、包装シート２１に開口部が形成され、前記包装シート２１と別体に形成された開封片が前記開口部の周囲に粘着剤を介して剥離可能に粘着されているものであってもよい。また、開封片８０Ａの内面のにのみ表示が記されているものであってもよい。
【００６８】
前記各実施の形態において、前記包装シート２１は、各表示の印刷が鮮明となるように表面が平滑でインクの濡れ性の良いものを使用することが好ましい。また、図７（Ｂ）に示す表示７３，７４や図９に示す表示９２，９３のように袋の内面に表示を印刷する場合に、その印刷表示の表面をニスでコーティングすることが好ましい。ニスをコーティングすることにより表示の印刷インクが吸収体１１や紐１２やアプリケータ１３に付着するのを防止できる。特に、アプリケータ１３を用いず、吸収体１１と紐１２が直接に袋で包装されるものの場合に、前記ニスのコーティングは有効である。
【００６９】
この場合のニスは、酢酸エステル類、炭化水素類、アルコールの３種などから成る溶媒にポリアミド系樹脂が含まれているものなどを使用することができる。
【００７０】
また、各表示のイラストや文字は、包装シート２１の色と対称色であることが好ましく、また包装シート２１は白または薄い色であり、前記表示が黒、赤、緑などの濃い色彩で印刷されていることが好ましい。
【００７１】
図１０は他の参考例を示す斜視図である。
この参考例の個包装体１０１は、包装シート２１で形成された袋１１０の中に、吸収体１１と紐１２がアプリケータ１３に収納された体液吸収製品１０が封入されている。
【００７２】
袋１１０は、縦シール部１１１と横シール部１１２，１１２で封止されたものであり、例えば一端部に設けられた切り込み１１３をきっかけとして図３と同様にして開封できるものとなっている。
【００７３】
そして個々の袋１１０の内部に体液吸収製品１０と共に説明シート１２０が封入されている。この説明シート１２０は、紙であってもよいが、使用済の吸収体１１を掴むときに指を覆うための使用を想定して、少なくとも一部が疎水性または撥水性であることが好ましい。例えば、前記説明シート１２０は、樹脂フィルムで形成されたもの、または少なくとも一方の面に撥水性樹脂がコーティングされた紙材あるいは少なくとも一方の面に撥水剤がスプレーなどで塗布された紙材などを使用することができる。あるいは、親水性シートと、疎水性または撥水性シートとを接合したもので、例えば両表面を紙などの親水性のシートで形成し、中間層を樹脂フィルムなどの疎水性シートで形成されたものを使用できる。さらには疎水性繊維を少なくとも一部に含む紙や不織布なども使用できる。これら例示したように前記説明シート１２０は、経血などの汚れがシートを一方の面から他方の面に染み出さない素材で形成することが好ましい。
【００７４】
図１１（Ａ）は前記説明シート１２０が丸められた状態を示し、図１１（Ｂ）が広げられた状態を示している。図１１に示す説明シート１２０は疎水処理または撥水処理が施された紙、あるいは樹脂フィルムで袋状に形成されたものであり、この袋の中に使用済の吸収体１１および紐１２を挿入して廃棄できるものとなっている。前記説明シート１２０を使用して吸収体１１を廃棄することにより指に汚れが付着するのを防止できる。
【００７５】
そして、前記説明シート１２０には、表示１３１，１３２が印刷されている。この表示は、体液吸収製品１０の使用方法や使用上の注意を文字、イラストなどで表したものである。
【００７６】
図１０および図１１に示す参考例では、体液吸収製品１０が１個ずつ包装されている個包装体１０１を開封する度に、説明シート１２０が内部から出てくるため、説明シート１２０の記載内容を読む習慣をつけることができる。
【００７７】
また前記説明シート１２０として、一方の面が使用方法などを印刷した樹脂フィルムで形成され、他方の面に薄い吸収シートが設けられており、吸収体を装着したときに前記説明シートを下着のクロッチ部の内側に設置して着用し、漏れた経血を前記吸収シートで吸収するように使用することもできる。
【００７８】
また前記各個包装体に、アプリケータを用いない、いわゆるフィンガー挿入タイプの吸収体および紐が封入されているものであってもよい。
【００７９】
【発明の効果】
以上のように本発明では、体液吸収製品を封入している個包装体ごとに、体液吸収製品の使用方法や使用上の注意の記載に目が留まるようにしているため、使用前のセーフティチェックを怠ったり、使用方法を誤るなどの問題が生じにくくなる。
【図面の簡単な説明】
【図１】参考例として体液吸収製品の個包装体を示す斜視図、
【図２】（Ａ）は図１に示す個包装体の一方の外面を示す正面図、（Ｂ）は他方の外面を示す背面図、
【図３】図１に示す個包装体の開封方法を示す斜視図、
【図４】他の参考例として体液吸収製品の個包装体を示す斜視図、
【図５】図４に示す個包装体の部分拡大正面図、
【図６】本発明の実施の形態の体液吸収製品の個包装体を示す斜視図、
【図７】（Ａ）は図６に示す個包装体の正面図、（Ｂ）は開封した状態を示す部分正面図、
【図８】本発明の他の実施の形態の体液吸収製品の個包装体を示す斜視図、
【図９】図８に示す個包装体を開封した状態を示す斜視図、
【図１０】他の参考例として体液吸収製品の個包装体を示す斜視図、
【図１１】（Ａ）は説明シートの斜視図、（Ｂ）は説明シートの展開図、
【符号の説明】
１，３１，５１，７６，１０１  個包装体
１０  体液吸収製品
１１  吸収体
１２  紐
１３  アプリケータ
１４  外筒
１６  内筒
２０，４０，６０，８０，１１０  袋
２６，２７，２８，２９，４５，４６，７１，７２，７３，７４，９１，９２，９３  表示
１２０  説明シート
【図１】
0003939118.tif 000002
【図２】
0003939118.tif 000003
【図３】
0003939118.tif 000004
【図４】
0003939118.tif 000005
【図５】
0003939118.tif 000006
【図６】
0003939118.tif 000007
【図７】
0003939118.tif 000008
【図８】
0003939118.tif 000009
【図９】
0003939118.tif 000010
【図１０】
0003939118.tif 000011
【図１１】
0003939118.tif 000012